(57)【要約】【課題】口の大きさ、形状等に関わらず、飲料をこぼすことなく飲むことができる飲料用缶を提供する。【解決手段】有底円筒状の缶胴２と、缶胴２の開口部を閉塞する缶蓋４と、缶蓋４に設けられる開口部５と、開口部５に設けられる栓６とを備えた飲料用缶１であって、開口部を臨む缶胴２の上端部を内方に凹ませ、その部分に他の部分よりも一段低い口当て部３を設ける。口当て部３に下唇を接触させ、開口部５の周縁部に上唇を接触させて、開口部５の周縁部をシールし、この状態で缶胴２を傾けることにより、開口部５から口内に飲料が注がれる。口当て部３により下唇を開口部５に近づけることができるので、口の大きさ、形状等に関わらず、飲料をこぼすことなく飲むことができる。【選択図】        図１
2004269011.tif 000002
【特許請求の範囲】
【請求項１】
有底円筒状の缶胴と、該缶胴の開口部を閉塞する缶蓋と、該缶蓋に設けられる開口部と、該開口部に設けられる栓とを備えた飲料用缶において、前記開口部を臨む前記缶胴の一部を内方に凹ませ、その部分に口当て部を設けたことを特徴とする飲料用缶。
【請求項２】
前記口当て部を、前記缶胴の上端部に設けたことを特徴とする請求項１に記載の飲料用缶。
【請求項３】
前記口当て部を、前記缶胴の高さ方向に所定の長さを有し、前記缶胴の周方向に所定の幅を有するように、構成したことを特徴とする請求項１に記載の飲料用缶。
【請求項４】
前記口当て部の幅を、前記開口部の全幅と略同一又は全幅よりも広く形成したことを特徴とする請求項３に記載の飲料用缶。
【請求項５】
前記口当て部の底面を平面に形成したことを特徴とする請求項３又は４に記載の飲料用缶。
【請求項６】
前記口当て部を、全体の深さが略同一になるように構成したことを特徴とする請求項３〜５の何れかに記載の飲料用缶。
【請求項７】
前記口当て部を、上端から下端に向かって順次深さが浅くなるように構成したことを特徴とする請求項３〜５の何れかに記載の飲料用缶。
【発明の詳細な説明】
【０００１】
【発明の属する技術分野】
本発明は、飲料用缶に関し、特に、内部にコーヒー、紅茶、日本茶、ジュース、炭酸飲料、ビール等の各種の飲料が充填される飲料用缶に関するものである。
【０００２】
【従来の技術】
この種の飲料用缶の一例として、有底円筒状の缶胴と、缶胴の開口部を閉塞する円板状の缶蓋と、缶蓋に設けられる開口部と、開口部に設けられるプルトップ型の栓とを備えた飲料用缶が知られている（例えば、非特許文献１参照。）。
【０００３】
また、飲料用缶の他の例として、有底円筒状の缶胴と、缶胴の開口部を閉塞する円板状の缶蓋と、缶蓋に設けられる開口部と、開口部に設けられるプルトップ型の栓と、缶胴にヒンジを介して取り付けられる飲み口とを備えた飲料用缶が知られている（例えば、特許文献１参照。）。
【０００４】
【非特許文献１】
ダイドードリンコ株式会社、ホームページ、インターネット＜ＵＲＬ：ｈｔｔｐ：／／ｗｗｗ．ｄｙｄｏ．ｃｏ．ｊｐ／＞
【特許文献１】
特開２０００−２２９６４４号公報
【０００５】
【発明が解決しようとする課題】
ところで、上記のような構成の飲料用缶のうち、前者にあっては、栓を指で掴んで引っ張ることにより開口部が開口され、この状態で缶胴を傾けて開口部からコップ等に飲料を注ぐことにより、コーヒー等の飲料を飲むことができる。また、コップ等を使用しないで直接飲む場合には、缶銅の開口部に直接に口を付けて唇で開口部の周縁部をシールし、この状態で缶胴を傾けることにより開口部から直接にコーヒー等の飲料を飲むことができるものである。
【０００６】
しかし、缶胴の開口部に口を付けて缶胴を傾けるときに、口の大きさ、形状等によっては、唇で開口部の周縁部を上手くシールすることができず、缶胴を傾けたときにコーヒー等の飲料がこぼれてしまうことが多々ある。
【０００７】
一方、後者にあっては、樋状の飲み口が取り付けられているので、この飲み口を使用することにより、口の大きさ、形状等に関わらずに、コーヒー等の飲料をこぼすことなく飲むことができるものである。
【０００８】
しかし、樋、及び樋を缶胴に取り付けるヒンジ等の部品が必要になるため、全体の構成部品の数が増えてしまい、製造コストが高く付いてしまう。
【０００９】
本発明は、上記のような従来の問題を解決したものであって、口の大きさ、形状等に関わらず、コーヒー等の飲料をこぼすことなく飲むことができるとともに、製造コストを安く抑えることができる飲料用缶を提供することを目的とするものである。
【００１０】
【課題を解決するための手段】
上記のような課題を解決するために、本発明の請求項１に係る飲料用缶は、有底円筒状の缶胴と、該缶胴の開口部を閉塞する缶蓋と、該缶蓋に設けられる開口部と、該開口部に設けられる栓とを備えた飲料用缶において、前記開口部を臨む前記缶胴の一部を内方に凹ませ、その部分に口当て部を設けた手段を採用している。
また、本発明の請求項２に係る飲料用缶は、請求項１に記載の飲料用缶において、前記口当て部を、前記缶胴の上端部に設けた手段を採用している。
さらに、本発明の請求項３に係る飲料用缶は、請求項１に記載の飲料用缶において、前記口当て部を、前記缶胴の高さ方向に所定の長さを有し、前記缶胴の周方向に所定の幅を有するように、構成した手段を採用している。
さらに、本発明の請求項４に係る飲料用缶は、請求項３に記載の飲料用缶において、前記口当て部の幅を、前記開口部の全幅と略同一又は全幅よりも広く形成した手段を採用している。
さらに、本発明の請求項５に係る飲料用缶は、請求項３又は４に記載の飲料用缶において、前記口当て部の底面を平面に形成した手段を採用している。
さらに、本発明の請求項６に係る飲料用缶は、請求項３〜５の何れかに記載の飲料用缶において、前記口当て部を、全体の深さが略同一になるように構成した手段を採用している。
さらに、本発明の請求項７に係る飲料用缶は、請求項３〜５の何れかに記載の飲料用缶において、前記口当て部を、上端から下端に向かって順次深さが浅くなるように構成した手段を採用している。
【００１１】
【作用】
本発明は、上記のような手段を採用したことにより、缶胴に口を付けたときに、下唇が口当て部に接触し、上唇が缶蓋の開口部の周縁部に接触し、下唇と上唇との協働によって開口部の周縁部がシールされる。そして、この状態で缶胴を傾けることにより、開口部からこぼれることなく口内に飲料が注がれることになる。
【００１２】
【発明の実施の形態】
以下、図面に示す本発明の実施の形態について説明する。
図１〜図３には、本発明による飲料用缶の一実施の形態が示されていて、この飲料用缶１は、缶胴２と、缶胴２の開口部を閉塞する缶蓋４と、缶蓋４に設けられる缶胴２内外を貫通する開口部５と、開口部５を閉塞する栓６とを備えている。
【００１３】
缶胴２は、アルミ、鉄等の金属から形成される有底円筒状をなすものであって、この缶胴２の内部にコーヒー等の各種の飲料を充填し、この状態で缶胴２の上端開口部に円板状の缶蓋４の周縁部をかしめ付けて上端開口部を閉塞することにより、内部にコーヒー等の各種の飲料が密封状態で収納されるようになっている。
【００１４】
缶蓋４には、缶胴２内外を貫通する略楕円形状の開口部５が設けられ、この開口部５は、開口部５と合致する略楕円形状のプルトップ型の栓６によって閉塞され、この栓６を引っ張ることにより、開口部５が開口されて開口部５からコーヒー等の飲料をコップに注いだり、直接に飲んだりすることができるものである。
【００１５】
缶胴２の上端部の缶蓋４の開口部５を臨む部分には、径方向内方に凹む他の部分よりも一段低い口当て部３が設けられ、コーヒー等の飲料を直接飲むときに、この口当て部３に下唇を当てるようになっている。
【００１６】
口当て部３は、缶胴２の周方向に所定の幅を有し、缶胴２の高さ方向に所定の長さを有する長方形状をなすものであって、幅が開口部５の全幅と略同一又は全幅よりも広く形成されている。また、口当て部３の深さは、全体が略同一の深さに形成されている。口当て部３の底面は、平面、緩やかな曲面等とすることができる。
【００１７】
口当て部３は、缶胴２の上端開口部に缶蓋４をかしめ付けた後に、プレス等によって缶胴２の上端部を径方向に押圧し、缶胴２の上端部及びそれに連続する缶蓋４の部分を径方向内方に一体に凹ませることにより、上述したような形状に形成される。
【００１８】
そして、上記のような構成の飲料用缶１からコーヒー等の飲料を飲むには、栓６を引っ張ることによって開口部５を開口させ、缶銅２の口当て部３に下唇を、缶蓋４の開口部５の周縁部に上唇をそれぞれ当てることにより、開口部５の周縁部をシールし、この状態で缶胴２を傾けることにより、開口部５からコーヒー等の飲料が口の中に注がれ、コーヒー等の飲料を飲むことができるものである。
【００１９】
この場合、缶胴２の他の部分よりも一段低い口当て部３に下唇を当てることになるので、従来の円筒状の缶胴に比べて下唇を缶胴２の径方向内方に位置させることができることになる。従って、下唇を従来の缶胴よりも開口部５に近づけることができるので、口の大きさ、形状等に関わらず、開口部５の周縁部を上手くシールすることができ、コーヒー等の飲料をこぼすことなく飲むことができることになる。
【００２０】
さらに、構成部品を増やす必要はなく、缶胴２の一部に凹ませる加工を施せば良いので、製造コストを安く抑えることができ、安価なものを提供することができることになる。
【００２１】
図４及び図５には、本発明による飲料用缶の他の実施の形態が示されていて、この飲料用缶１は、口当て部３の深さを、上端から下方に向かって順次浅く形成したものであって、その他の構成は前記第１の実施の形態に示すものと同様である。
【００２２】
そして、この実施の形態に示す飲料用缶１にあっても、前記第１の実施の形態に示すものと同様に、缶胴２の他の部分よりも一段低い口当て部３に下唇を当てることになるので、従来の円筒状の缶胴に比べて下唇を缶胴２の径方向内方に位置させることができることになる。従って、下唇を従来の缶胴よりも開口部５に近づけることができるので、口の大きさ、形状等に関わらず、開口部５の周縁部を上手くシールすることができ、コーヒー等の飲料をこぼすことなく飲むことができることになる。さらに、構成部品を増やす必要はなく、缶銅２の一部に凹ませる加工を施せば良いので、製造コストを安く抑えることができ、安価なものを提供することができることになる。
【００２３】
なお、前記各実施の形態においては、口当て部３を長方形状に形成したが、図６に示すように、上端から下方に向かって順次幅が狭くなる三角形状に形成しても良い。また、前記各実施の形態においては、缶胴２の上端部に口当て部３を設けたが、図示はしないが、缶胴の全高に渡って口当て部を設けても良い。
【００２４】
【発明の効果】
本発明は、前記のように構成したことにより、飲料を飲むときに、他の部分よりも一段低い口当て部に下唇を当てることになるので、従来の缶胴に比べて下唇を缶胴の径方向内方に位置させることができることになる。従って、下唇を従来の缶胴よりも開口部に近づけることができるので、口の大きさ、形状等に関わらず、開口部の周縁部を上手くシールすることができることになり、コーヒー等の飲料をこぼすことなく飲むことができることになる。さらに、構成部品の数を増やす必要はなく、缶胴の一部を凹ませる加工を施せば良いので、製造コストを安く抑えることができる。
【図面の簡単な説明】
【図１】本発明による飲料用缶の第１の実施の形態の全体を示した斜視図である。
【図２】図１の部分拡大図である。
【図３】図２の側面図である。
【図４】本発明による飲料用缶の第２の実施の形態を示した部分拡大図である。
【図５】図４の側面図である。
【図６】口当て部の変形例を示した部分拡大図である。
【符号の説明】
１……飲料用缶
２……缶胴
３……口当て部
４……缶蓋
５……開口部
６……栓
【図１】
2004269011.tif 000003
【図２】
2004269011.tif 000004
【図３】
2004269011.tif 000005
【図４】
2004269011.tif 000006
【図５】
2004269011.tif 000007
【図６】
2004269011.tif 000008